(57)【要約】      （修正有）【課題】検知層に設けられた各電極の内部抵抗を減らしながら均一にする静電容量式タッチパネルを提供する。【解決手段】Ｘ軸検知層と、Ｙ軸検知層とを有し、該Ｘ軸検知層は、複数の検知横列を備え、該各検知横列の一端にＸ軸駆動線が設けられ、該各検知横列は、少なくとも２つのＸ軸電極列からなり、該各Ｘ軸電極列は、複数のＸ軸電極からなると共に、該少なくとも２つのＸ軸電極列との間に、１つ以上のＸ軸電極を並列に接続する。また、該Ｙ軸検知層には、複数の検知縦列を備え、該各検知縦列の一端にＹ軸駆動線が設けられ、該各検知縦列は、少なくとも２つのＹ軸電極列からなり、該各Ｙ軸電極列は、複数のＹ軸電極からなると共に、該各Ｙ軸電極は、該各Ｘ軸電極列の各Ｘ軸電極との間に静電容量を有し、該少なくとも２つのＹ軸電極列との間に、１つ以上のＹ軸電極を並列に電気接続する。【選択図】図１
0003172385.tif 000002
【実用新案登録請求の範囲】
【請求項１】
Ｘ軸検知層と、Ｙ軸検知層とを有し、
前記Ｘ軸検知層は、複数の検知横列を備え、該各検知横列の一端にＸ軸駆動線が設けられ、また、該各検知横列は、少なくとも２つのＸ軸電極列からなり、該各Ｘ軸電極列は、複数のＸ軸電極からなると共に、該少なくとも２つのＸ軸電極列との間に、１つ以上のＸ軸電極が電気接続するように並列し、
前記Ｙ軸検知層は、複数の検知縦列を備え、該各検知縦列の一端にＹ軸駆動線が設けられ、また、該各検知縦列は、少なくとも２つのＹ軸電極列からなり、該各Ｙ軸電極列は、複数のＹ軸電極からなると共に、該各Ｙ軸電極は、前記各Ｘ軸電極列の各Ｘ軸電極との間に静電容量を有し、該少なくとも２つのＹ軸電極列との間に、１つ以上のＹ軸電極が電気接続されるように並列することを特徴とする静電容量式タッチパネル。
【請求項２】
前記Ｘ軸検知層の各Ｘ軸電極と前記Ｙ軸検知層の各Ｙ軸電極とはそれぞれ、交互に排列されてセルフキャパシタンス型の静電容量式タッチパネルを構成することを特徴とする請求項１に記載の静電容量式タッチパネル。
【請求項３】
前記Ｙ軸検知層のＹ軸電極をそれぞれ、該Ｘ軸検知層のＸ軸電極と対応するように重層することにより、相互キャパシタンス型の静電容量式タッチパネルを構成することを特徴とする請求項１に記載の静電容量式タッチパネル。
【請求項４】
前記Ｘ軸検知層及びＹ軸検知層が、同一基材、且つ同一面に形成されることを特徴とする請求項２に記載の静電容量式タッチパネル。
【請求項５】
前記Ｘ軸検知層及びＹ軸検知層がそれぞれ、互いに対応する２つの基材に形成されることを特徴とする請求項２又は３に記載の静電容量式タッチパネル。
【請求項６】
前記Ｘ軸検知層及びＹ軸検知層がそれぞれ、同一基材の対応する上面及び底面に形成されることを特徴とする請求項２又は３に記載の静電容量式タッチパネル。
【請求項７】
前記Ｘ軸検知層のＸ軸電極及びＹ軸検知層のＹ軸電極が菱形を呈することを特徴とする請求項２又は３に記載の静電容量式タッチパネル。
【請求項８】
前記Ｘ軸検知層のＸ軸電極及びＹ軸検知層のＹ軸電極が矩形を呈することを特徴とする請求項３に記載の静電容量式タッチパネル。
【考案の詳細な説明】
【技術分野】
【０００１】
本考案は、特に検知層に設けられた各電極の内部抵抗を減らし、且つ均一にする静電容量式タッチパネルに関するものである。
【背景技術】
【０００２】
既存の静電容量式タッチパネルにおける基本的な構造は、図４に示すように、透明の基板７０と、該基板７０の上面に設置されるＸ軸検知層８０と、Ｙ軸検知層９０とを有し、その内、該Ｘ軸検知層８０は、複数の横方向に排列される検知横列を備え、該各検知横列は、複数の菱形のＸ軸電極８１が接続され、また、該検知横列は、Ｘ軸駆動線８２にも接続される。
【０００３】
前記Ｙ軸検知層９０には、前記基板７０の下面に設置されると共に、複数の縦方向に排列される検知縦列を備え、該各検知縦列は、複数の菱形を呈するＹ軸電極９１が接続されることにより構成され、また、該検知縦列は、Ｙ軸駆動線９２にも接続される。
【０００４】
尚、前記Ｙ軸検知層９０の各Ｙ軸電極９１は、前記Ｘ軸検知層８０の各Ｘ軸電極８１と間隔をおいて排列されてもよく、或いは、互いに重層して排列されてもよい。また、図５に示すように、該各Ｙ軸電極９１と各Ｘ軸電極８１とが間隔をおいて排列される場合、その静電容量式タッチパネルは、セルフキャパシタンス型（Ｓｅｌｆ  Ｃａｐａｃｉｔａｎｃｅ）が用いられ、一方、該各Ｙ軸電極９１と各Ｘ軸電極８１とが互いに重層して排列される場合、その静電容量式タッチパネルは、相互キャパシタンス型（Ｍｕｔｕａｌ  Ｃａｐａｃｉｔａｎｃｅ）が用いられる。
【０００５】
また、前記Ｘ、Ｙ軸検知層８０、９０のＸ、Ｙ軸駆動線８２、９２はそれぞれ制御器と接続されることから、制御器によりＸ、Ｙ軸検知層８０、９０の各静電容量の変化を検知することができ、更に、静電容量式タッチパネルは、検知インターフェースＸ、Ｙ軸検知層８０、９０と制御器との接続性に高品質を求めたものであるが、このような品質の追求をすると、互いに垂直するＸ、Ｙ軸駆動線８２、９２の抵抗及び内部抵抗の均一性も考慮する必要があり、このような構成では、Ｘ、Ｙ軸駆動線８２、９２の内部抵抗又は均一性が直接にタッチパネルから出力した信号雑音比（Ｓ/Ｎ）に影響を及ぼすことがあった。
【考案の概要】
【考案が解決しようとする課題】
【０００６】
上述したように、複数のＸ、Ｙ軸駆動線８２、９２はそれぞれ、制御器と接続するために、Ｘ、Ｙ軸検知層８０、９０の所定の一側にぎっしりと配置されることから、該各Ｘ、Ｙ軸駆動線８２、９２と制御器との距離が一致しなく、該各Ｘ、Ｙ軸駆動線８２、９２の長さも異なり、また、それらＸ、Ｙ軸駆動線８２、９２の抵抗は、長さと正比例であることから、タッチパネルのサイズが大きければ大きいほど、駆動線が長くなり、駆動線の抵抗も大きくなるので、それが制御器の判断に悪影響を及ぼし、誤判断を誘発するといった問題があった。
【０００７】
このように、タッチパネルのサイズが大きければ大きいほど、一側の検知横列又は検知縦列の駆動線が長くなることから、各検知横列の内部抵抗又は各検知縦列の内部抵抗が均一にならなくなり、制御器の判断に影響を及ぼすと共に、タッチパネルのサイズを大きくしなければならなかった。従って、既存の静電容量式タッチパネルは、技術上の制限を有することから、更に検討し、よい解決方法を模索する必要がある。
【課題を解決するための手段】
【０００８】
本考案に係る静電容量式タッチパネルは、Ｘ軸検知層と、Ｙ軸検知層とを有し、
前記Ｘ軸検知層は、複数の検知横列を備え、該各検知横列の一端にＸ軸駆動線が設けられ、また、該各検知横列は、少なくとも２つのＸ軸電極列からなり、該各Ｘ軸電極列は、複数のＸ軸電極からなると共に、該少なくとも２つのＸ軸電極列との間に、１つ以上のＸ軸電極が電気接続するように並列し、
前記Ｙ軸検知層は、複数の検知縦列を備え、該各検知縦列の一端にＹ軸駆動線が設けられ、また、該各検知縦列は、少なくとも２つのＹ軸電極列からなり、該各Ｙ軸電極列は、複数のＹ軸電極からなると共に、該各Ｙ軸電極は、前記各Ｘ軸電極列の各Ｘ軸電極との間に静電容量を有し、該少なくとも２つのＹ軸電極列との間に、１つ以上のＹ軸電極が電気接続されるように並列するものである。
【０００９】
前記Ｘ軸検知層の各Ｘ軸電極と前記Ｙ軸検知層の各Ｙ軸電極とはそれぞれ、交互に排列されてセルフキャパシタンス型の静電容量式タッチパネルを構成する。
【００１０】
前記Ｙ軸検知層のＹ軸電極をそれぞれ、該Ｘ軸検知層のＸ軸電極と対応するように重層することにより、相互キャパシタンス型の静電容量式タッチパネルを構成する。
【００１１】
前記Ｘ軸検知層及びＹ軸検知層が、同一基材、且つ同一面に形成されてもよい。
【００１２】
前記Ｘ軸検知層及びＹ軸検知層がそれぞれ、互いに対応する２つの基材に形成されてもよい。
【００１３】
前記Ｘ軸検知層及びＹ軸検知層がそれぞれ、同一基材の対応する上面及び底面に形成されてもよい。
【００１４】
前記Ｘ軸検知層のＸ軸電極及びＹ軸検知層のＹ軸電極が菱形を呈しても構わない。
【００１５】
前記Ｘ軸検知層のＸ軸電極及びＹ軸検知層のＹ軸電極が矩形を呈しても構わない。
【考案の効果】
【００１６】
本考案に係る静電容量式タッチパネルは、検知横列１０の各Ｘ軸電極列１１、１２が１つ以上のＸ軸電極と並列するように電気接続されると共に、検知縦列２０のＹ軸電極列２１、２２が１つ以上のＹ軸電極と並列するように電気接続されることにより構成されることから、各検知列の内部抵抗を減らしつつ、均一性を高めることができるので、タッチパネルの制御器の判断の精確性や速度、信頼性を高まる。
【図面の簡単な説明】
【００１７】
【図１】本考案に係る実施例の斜面図である。
【図２Ａ】本考案に係る実施例のＸ軸検知層の平面図である。
【図２Ｂ】本考案に係る実施例のＹ軸検知層の平面図である。
【図３】本考案に係る実施例のＸ、Ｙ軸検知層が重層された状態の平面図である。
【図４】既存の静電容量式タッチパネルの部分分解斜面図である。
【図５】既存の静電容量式タッチパネルの平面図である。
【考案を実施するための形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１に示すように、本考案に係る静電容量式タッチパネルの実施例は、Ｘ軸検知層ＸＳと、Ｙ軸検知層ＹＳとを有する。
【００２０】
図２Ａに示すように、前記Ｘ軸検知層ＸＳは、複数の検知横列１０を備え、該各検知横列１０の一端にＸ軸駆動線１３が設けられ、また、該各検知横列１０は、２つ以上のＸ軸電極列１１、１２からなるものである。なお、本実施例における各検知横列１０は、２つのＸ軸電極列１１、１２からなるものであるが、その数量に限定はなく、三つ、四つ、或いはそれ以上としても構わない。
【００２１】
前記各Ｘ軸電極列１１、１２は、複数のＸ軸電極１１１、１２１からなり、前記各検知横列１０は、２つのＸ軸電極列１１、１２の間に、１つ以上のＸ軸電極１１１、１２１が並列するように電気接続される。尚、本実施例において、前記各検知横列１０は、一端（図面の左側）に位置する２つのＸ軸電極列１１、１２を互いに電気接続してＸ軸駆動線１３と電気接続されると共に、他端（図面の右側）に、対応する２つのＸ軸電極１１１Ａ、１２１Ａが電気接続部１４を介して電気接続される。即ち、前記Ｘ軸電極列１１におけるＸ軸電極１１１ＡからＸ軸駆動線１３までのすべてのＸ軸電極１１１、１１１Ａと、Ｘ軸電極列１２におけるＸ軸電極１２１ＡからＸ軸駆動線１３までのすべてのＸ軸電極１２１、１２１Ａとが並列するので、その並列するＸ軸電極１１１の数量によって、抵抗を変更することができる。
【００２２】
図２Ｂに示すように、前記Ｙ軸検知層ＹＳは、複数の検知縦列２０を備え、該各検知縦列２０の一端にＹ軸駆動線２３が設けられ、また、該各検知縦列２０は、２つ以上のＹ軸電極列２１、２２からなるものである。なお、本実施例において、該各検知縦列２０は、２つのＹ軸電極列２１、２２からなるものであるが、その数量に限定はなく、三つ、四つ、或いはそれ以上としても構わない。
【００２３】
前記各Ｙ軸電極列２１、２２は、複数のＹ軸電極２１１、２２１からなり、前記各検知縦列２０は、２つのＹ軸電極列２１、２２の間に、１つ以上のＹ軸電極２１１、２２１が並列するように電気接続される。尚、本実施例において、前記各検知縦列２０は、一端（図面の上側）に位置する２つのＹ軸電極列２１、２２を互いに電気接続してＹ軸駆動線２３と電気接続されると共に、他端（図面の下側）に、対応する２つのＹ軸電極２１１Ａ、２２１Ａが電気接続部２４を介して電気接続される。即ち、Ｙ軸電極列２１におけるＹ軸電極２１１Ａから軸駆動線２３までのすべてのＹ軸電極２１１、２１１Ａと、Ｙ軸電極列２２におけるＹ軸電極２２１Ａから軸駆動線２３までのすべてのＹ軸電極２２１、２２１Ａとが並列ので、その並列するＹ軸電極２２１の数量によって、抵抗を変更することができる。
【００２４】
尚、前記Ｘ軸検知層ＸＳ及びＹ軸検知層ＹＳは、同一基材の上面に形成されてもよく、更に、該Ｘ軸検知層ＸＳの各Ｘ軸電極１１１、１２１とＹ軸検知層ＹＳの各Ｙ軸電極２１１、２２１とはそれぞれ、交互に排列され（図３に記載の如く）、それによれば、セルフキャパシタンス型の静電容量式タッチパネルが構成される。
【００２５】
一方、図１に示すように、本実施例におけるＸ軸検知層ＸＳ及びＹ軸検知層ＹＳはそれぞれ、互いに対応する２つの基材３０、４０に形成され、その内、両端部に位置するＸ軸電極１１１、１２１及びＹ軸電極２１１、２２１は三角形を呈し、他のものはすべて菱形を呈するものである。尚、この構成によれば、そのＸ軸検知層ＸＳ及びＹ軸検知層ＹＳはそれぞれ、同一基材の対応する上面及び底面に、或いは２つの基材の対応する面に形成されてもよく、それらは、異なるタイプのセルフキャパシタンス型の静電容量式タッチパネルを構成するものである。
【００２６】
本考案は、前記セルフキャパシタンス型に適用する例以外に、相互キャパシタンス型に適用しても構わなく、その実施例としては、Ｘ軸検知層ＸＳを基材の上面に形成すると共に、Ｙ軸検知層ＹＳを基材の底面に形成し、該Ｙ軸検知層ＹＳのＹ軸電極２１１、２２１をそれぞれ、該Ｘ軸検知層ＸＳのＸ軸電極１１１、１２１と対応するように重層することにより、相互キャパシタンス型の静電容量式タッチパネルを構成する。尚、そのＸ軸電極１１１、１２１及びＹ軸電極２１１、２２１は、上述した三角形、菱形以外の矩形としても構わない。
【００２７】
さらに、前記Ｘ軸検知層ＸＳの各検知横列１０のＸ軸電極列１１、１２は、互いに並列するものであり、それらＸ軸電極列１１、１２は、透明な電極（ＩＴＯ）からなるものであることから、オームの法則の公式によれば、２つの抵抗を並列させると、抵抗値がより小さくなり（それら２つの抵抗値が同一ではない場合には、２つの抵抗が並列すると、抵抗値が元の小抵抗値より小さくなる）、即ち、そのＸ軸電極列１１、１２が並列すると、その検知横列１０の抵抗値を減らすことができる。このように、前記Ｙ軸検知層ＹＳの各検知縦列２０のＹ軸電極列２１、２２は、並列するものであることから、検知縦列２０の抵抗値も減らせるので、制御器の感知性能が高まる。
【００２８】
上述したように、前記Ｘ軸検知層ＸＳ及びＹ軸検知層ＹＳは、同一基材上、且つ同一面に形成されても、或いはそれぞれ２つの基材の対応する面に形成されても、各検知横列１０又は各検知縦列２０のＸ、Ｙ軸駆動線１３、２３に接続する必要があるが、この時、パネルの面積が大きければ大きいほど、パネルの側部に位置した検知列１０、２０のＸ、Ｙ軸駆動線１３、２３が長くなることから、制御器のボートとの距離が長くなるので、抵抗値も高くなり、且つ各検知横列１０又は各検知縦列２０の内部抵抗も均一にはならない。
【００２９】
本考案に係る静電容量式タッチパネルは、検知横列１０のＸ軸電極列１１、１２が並列するように１つ以上のＸ軸電極１１１、１２１と電気接続されると共に、検知縦列２０のＹ軸電極列２１、２２が並列するように１つ以上のＹ軸電極２１１、２２１と電気接続されることから、その並列したＸ軸電極及びＹ軸電極２１１、２２１の数量によって、抵抗を変更することができ、この構成によれば、駆動線の長さ（感知列から制御器までの距離）によって、各検知横列１０及び各検知縦列２０の内部抵抗を調整することができることから、その検知横列１０及び各検知縦列２０の内部抵抗を減らして、その内部抵抗を均一にできるので、タッチパネルのサイズを増加しても、制御器の判断の精確性や速度、信頼性を損なうことはない。
【産業上の利用可能性】
【００３０】
本考案は上記の構成を有することから、検知横列又は検知縦列における並列したＸ軸電極及びＹ軸電極の数量によって、各検知横列及び各検知縦列の内部抵抗を調整することができ、また、内部抵抗を均一にできるので、タッチパネルのサイズを増加しても、制御器の判断の精確性を高まるものを提供する。
【符号の説明】
【００３１】
１０    検知横列
１１、１２    Ｘ軸電極列
１３    Ｘ軸駆動線
１４    電気接続部
２０    検知縦列
２１、２２    Ｙ軸電極列
２３    Ｙ軸駆動線
２４    電気接続部
３０、４０    基材
７０    基板
８０    Ｘ軸検知層
８１    Ｘ軸電極
８２    Ｘ軸駆動線
９０    Ｙ軸検知層
９１    Ｙ軸電極
９２    Ｙ軸駆動線
１１１、１１１Ａ、１２１、１２１Ａ    Ｘ軸電極
２１１、２１１Ａ、２２１、２２１Ａ    Ｙ軸電極
ＸＳ    Ｘ軸検知層
ＹＳ    Ｙ軸検知層
【図１】
0003172385.tif 000003
【図２Ａ】
0003172385.tif 000004
【図２Ｂ】
0003172385.tif 000005
【図３】
0003172385.tif 000006
【図４】
0003172385.tif 000007
【図５】
0003172385.tif 000008